(57)【要約】【課題】通信端末装置の移動速度を考慮して最適な高速パケット伝送チャネルの送信電力値を設定すること。【解決手段】移動速度検出回路１０６は、逆拡散回路１０４の出力信号を用いて通信端末装置の移動速度を検出する。Ａ−ＤＰＣＨ電力設定回路１０７は、逆拡散回路１０４から出力されたＴＰＣコマンドに基づいてＡ−ＤＰＣＨの送信電力を設定し、その際に平均時間ｘを移動速度によって制御する。電力オフセット判定回路２０１は、転送データ量からパケット送信データの電力オフセット値を判定し、その際に電力オフセット値αを移動速度によって制御する。ＤＳＣＨ電力設定回路１０８は、Ａ−ＤＰＣＨの送信電力に電力オフセット値を加えてＤＳＣＨの送信電力を設定し、その際に反映時間ｚを移動速度によって制御する。【選択図】　　　図１
2004112624.tif 000002
【特許請求の範囲】
【請求項１】
通信端末装置の移動速度を検出する移動速度検出手段と、前記通信端末装置から送信されたＴＰＣコマンドに基づいて第１チャネルの送信電力を設定する第１送信電力設定手段と、前記第１チャネルの送信電力を反映する時間を前記移動速度に応じて制御し、前記第１チャネルの送信電力にオフセットをつけて前記第２チャネルの送信電力を設定する第２送信電力設定手段と、を具備することを特徴とする基地局装置。
【請求項２】
第２送信電力設定手段は、通信端末装置の移動速度が速いほど第１チャネルの送信電力を反映する時間を短くするように制御することを特徴とする請求項１記載の基地局装置。
【請求項３】
第１送信電力設定手段は、測定した第１チャネルの送信電力を平均化する時間を移動速度に応じて制御することを特徴とする請求項１又は請求項２記載の基地局装置。
【請求項４】
第１送信電力設定手段は、通信端末装置の移動速度が速いほど第１チャネルの送信電力の平均化する時間を短くするように制御することを特徴とする請求項３記載の基地局装置。
【請求項５】
パケット送信データの転送データ量及び移動速度に応じて電力オフセット値を判定し、判定した電力オフセット値を請求項１から請求項４のいずれかに記載の基地局装置の第２送信電力設定手段に出力する電力オフセット判定手段を具備することを特徴とする上位局装置。
【請求項６】
電力オフセット判定手段は、通信端末装置の移動速度が速いほど電力オフセット値を高く判定することを特徴とする請求項５記載の上位局装置。
【請求項７】
パケット送信データの転送データ量及び移動速度に応じて電力オフセット値を判定し、判定した電力オフセット値を第２送信電力設定手段に出力する電力オフセット判定手段を具備することを特徴とする請求項１から請求項４のいずれかに記載の基地局装置。
【請求項８】
電力オフセット判定手段は、通信端末装置の移動速度が速いほど電力オフセット値を高く判定することを特徴とする請求項７記載の基地局装置。
【請求項９】
受信電力を所定時間測定して送信電力の時間的変化を検出する電力分布変動量検出手段と、前記通信端末装置から送信されたＴＰＣコマンドに基づいて第１チャネルの送信電力を設定する第１送信電力設定手段と、前記第１チャネルの送信電力を前記送信電力の時間的変化に応じて制御し、前記第１チャネルの送信電力にオフセットをつけて前記第２チャネルの送信電力を設定する第２送信電力設定手段と、を具備することを特徴とする基地局装置。
【請求項１０】
第１送信電力設定手段は、測定した第１チャネルの送信電力を平均化する時間を送信電力の時間的変化に応じて制御することを特徴とする請求項９記載の基地局装置。
【請求項１１】
パケット送信データの転送データ量及び送信電力の時間的変化に応じて電力オフセット値を判定し、判定した電力オフセット値を請求項９又は請求項１０記載の基地局装置の第２送信電力設定手段に出力する電力オフセット判定手段を具備することを特徴とする上位局装置。
【請求項１２】
パケット送信データの転送データ量及び送信電力の時間的変化に応じて電力オフセット値を判定し、判定した電力オフセット値を第２送信電力設定手段に出力する電力オフセット判定手段を具備することを特徴とする請求項９又は請求項１０記載の基地局装置。
【請求項１３】
通信端末装置から送信されたＴＰＣコマンドに基づいて第１チャネルの送信電力を設定する工程と、前記通信端末装置の移動速度を検出する工程と、パケット送信データの転送データ量及び移動速度に応じて電力オフセット値を設定する工程と、前記第１チャネルの送信電力に前記電力オフセット値を加算して第１チャネルの送信電力を設定する工程と、を具備することを特徴とする送信電力値設定方法。
【請求項１４】
第２チャネルの送信電力に第１チャネルの送信電力を反映する時間を移動速度に応じて制御することを特徴とする請求項１３記載の送信電力値設定方法。
【請求項１５】
測定した第１チャネルの送信電力を平均化する時間を移動速度に応じて制御することを特徴とする請求項１３又は請求項１４記載の送信電力値設定方法。
【請求項１６】
通信端末装置から送信されたＴＰＣコマンドに基づいて第１チャネルの送信電力を設定する工程と、前記通信端末装置の送信電力の時間的変化を検出する工程と、パケット送信データの転送データ量及び送信電力の時間的変化に応じて電力オフセット値を設定する工程と、前記第１チャネルの送信電力に前記電力オフセット値を加算して第１チャネルの送信電力を設定する工程と、を具備することを特徴とする送信電力値設定方法。
【発明の詳細な説明】
【０００１】
【発明の属する技術分野】
本発明は、パケット伝送を行う無線通信システムに用いられる基地局装置、上位局装置及び送信電力値設定方法に関する。
【０００２】
【従来の技術】
無線通信の分野では、高速大容量な下りチャネルを複数の通信端末装置が共有し、パケット伝送を行う下り高速パケット伝送方式が開発されている。パケットを伝送するチャネルは、セクタ毎に１つ存在し、セクタ内に存在する全ての通信端末装置で１つのチャネルを共有するのでコードリソースを有効活用することができ、送信電力制御も適用できるので効率的な伝送が可能である。
【０００３】
以下、下り高速パケット伝送方式の一つであるＤＳＣＨ（Ｄｏｗｎｌｉｎｋ　Ｓｈａｒｅｄ　Ｃｈａｎｎｅｌ）の送信について説明する。ＤＳＣＨでは、各通信端末装置に付随するＡ−ＤＰＣＨ（Ａｓｓｏｃｉａｔｅｄ　Ｄｅｄｉｃａｔｅｄ　Ｐｈｙｓｉｃａｌ　Ｃｈａｎｎｅｌ）が設けられている。このＡ−ＤＰＣＨは常時回線接続しており、そのチャネル構成やハンドオーバ制御等は通常のＤＰＣＨ（Ｄｅｄｉｃａｔｅｄ　Ｐｈｙｓｉｃａｌ　Ｃｈａｎｎｅｌ）と変わらない。
【０００４】
Ａ−ＤＰＣＨの送信電力は、一般的に良く知られているクローズドループ送信電力制御方法によって、Ａ−ＤＰＣＨの受信ＳＩＲが目標ＳＩＲとなるように制御される。ＤＳＣＨの送信電力は、ＤＳＣＨの所要ＳＩＲがＡ−ＤＰＣＨの目標ＳＩＲと異なるため、Ａ−ＤＰＣＨの送信電力に電力オフセットをつけて設定される。なお、電力オフセット値は転送データ量に応じて制御される。
【０００５】
図４は、Ａ−ＤＰＣＨの送信電力の平均及びＤＳＣＨの電力オフセット制御のタイミングを説明するための図である。図４において、「ｘ」はＡ−ＤＰＣＨの送信電力の平均値を算出するために測定する時間（平均時間）を示し、「ｚ」はＤＳＣＨの送信電力値にＡ−ＤＰＣＨの送信電力平均値を反映する時間（反映時間）を示し、「ｙ」は、算出されたＡ−ＤＰＣＨの送信電力の平均値がＤＳＣＨの送信電力値に反映されるまでの制御遅延を示す。なお、制御遅延とは、電力オフセット値の判定が上位局装置でなされることにより基地局装置と上位局装置との間で発生する遅延時間のことである。また、Ａ−ＤＰＣＨの送信電力平均値をＤＳＣＨに報告する周期（報告周期）は、反映時間ｚと同一となる。
【０００６】
Ａ−ＤＰＣＨの平均送信電力は、反映時間ｚ毎の報告タイミング直前の平均時間ｘにおいてＡ−ＤＰＣＨの送信電力を平均した電力であり、次の報告タイミングにおいて更新するまでその値は変化しない。ただし、実際にＡ−ＤＰＣＨの平均送信電力がＤＳＣＨの送信電力値に反映されるタイミングは、報告タイミングから制御遅延ｙだけ後方にずれる。
【０００７】
ここで、従来のＤＳＣＨの送信電力値の設定方法では、平均時間ｘ、反映時間ｚが固定であり、電力オフセット値αは転送データ量のみに基づいて制御している。
【０００８】
【非特許文献１】
”「パイロットシンボルを用いるドップラ周波数検出」，２０００年電子情報通信学会総合大会，Ｂ−５−５９”
【０００９】
【発明が解決しようとする課題】
しかしながら、通信端末装置の移動速度が速い場合には送信電力の時間的変化が大きく、従来の方法により高速パケット伝送チャネルの送信電力値を設定すると、通信端末装置において所望のＳＩＲが得られず、パケット再送回数が増大してしまい、システム全体のスループットが低下してしまうおそれがある。
【００１０】
本発明はかかる点に鑑みてなされたものであり、通信端末装置の移動速度あるいは送信電力値の時間的な変化を考慮して最適な高速パケット伝送チャネルの送信電力値を設定することができる基地局装置、上位局装置及び送信電力値設定方法を提供することを目的とする。
【００１１】
【課題を解決するための手段】
本発明の基地局装置は、通信端末装置の移動速度を検出する移動速度検出手段と、前記通信端末装置から送信されたＴＰＣコマンドに基づいて第１チャネルの送信電力を設定する第１送信電力設定手段と、前記第１チャネルの送信電力を反映する時間を前記移動速度に応じて制御し、前記第１チャネルの送信電力にオフセットをつけて前記第２チャネルの送信電力を設定する第２送信電力設定手段と、を具備する構成を採る。
【００１２】
本発明の基地局装置における第２送信電力設定手段は、通信端末装置の移動速度が速いほど第１チャネルの送信電力を反映する時間を短くするように制御する構成を採る。
【００１３】
これらの構成によれば、通信端末装置の移動速度に応じて電力オフセット制御のパラメータである反映時間を制御することができるので、高速パケット伝送チャネルである第２チャネルの送信電力値を最適に設定することができる。
【００１４】
本発明の基地局装置における第１送信電力設定手段は、測定した第１チャネルの送信電力の平均化する時間を移動速度に応じて制御する構成を採る。
【００１５】
本発明の基地局装置における第１送信電力設定手段は、通信端末装置の移動速度が速いほど第１チャネルの送信電力の平均化する時間を短くするように制御する構成を採る。
【００１６】
これらの構成によれば、通信端末装置の移動速度に応じて電力オフセット制御のパラメータである第１チャネルの送信電力の平均化する時間を制御することができるので、第２チャネルの送信電力値を最適に設定することができる。
【００１７】
本発明の上位局装置は、基地局装置におけるパケット送信データの転送データ量及び移動速度に応じて電力オフセット値を判定し、判定した電力オフセット値を上記いずれかの基地局装置の第２送信電力設定手段に出力する電力オフセット判定手段を具備する構成を採る。
【００１８】
本発明の上位局装置における電力オフセット判定手段は、通信端末装置の移動速度が速いほど電力オフセット値を高く判定する構成を採る。
【００１９】
これらの構成によれば、通信端末装置の移動速度を検出し、その検出結果に応じて電力オフセット制御のパラメータである電力オフセット値を制御することができるので、第２チャネルの送信電力値を最適に設定することができる。
【００２０】
本発明の基地局装置は、パケット送信データの転送データ量及び移動速度に応じて電力オフセット値を判定し、判定した電力オフセット値を第２送信電力設定手段に出力する電力オフセット判定手段を具備する構成を採る。
【００２１】
本発明の基地局装置における電力オフセット判定手段は、通信端末装置の移動速度が速いほど電力オフセット値を高く判定する構成を採る。
【００２２】
これらの構成によれば、基地局装置においても通信端末装置の移動速度を検出し、その検出結果に応じて電力オフセット制御のパラメータである電力オフセット値を制御することができるので、第２チャネルの送信電力値を最適に設定することができる。
【００２３】
本発明の基地局装置は、受信電力を所定時間測定して送信電力の時間的変化を検出する電力分布変動量検出手段と、前記通信端末装置から送信されたＴＰＣコマンドに基づいて第１チャネルの送信電力を設定する第１送信電力設定手段と、前記第１チャネルの送信電力を前記送信電力の時間的変化に応じて制御し、前記第１チャネルの送信電力にオフセットをつけて前記第２チャネルの送信電力を設定する第２送信電力設定手段と、を具備する構成を採る。
【００２４】
この構成によれば、送信電力の時間的変化に応じて電力オフセット制御のパラメータである反映時間を制御することができるので、高速パケット伝送チャネルである第２チャネルの送信電力値を最適に設定することができる。
【００２５】
本発明の基地局装置における第１送信電力設定手段は、測定した第１チャネルの送信電力を平均化する時間を送信電力の時間的変化に応じて制御する構成を採る。
【００２６】
この構成によれば、通信端末装置の送信電力の時間的変化に応じて電力オフセット制御のパラメータである第１チャネルの送信電力の平均化する時間を制御することができるので、第２チャネルの送信電力値を最適に設定することができる。
【００２７】
本発明の上位局装置は、パケット送信データの転送データ量及び送信電力の時間的変化に応じて電力オフセット値を判定し、判定した電力オフセット値を上記いずれかの基地局装置の第２送信電力設定手段に出力する電力オフセット判定手段を具備する構成を採る。
【００２８】
本発明の基地局装置は、パケット送信データの転送データ量及び送信電力の時間的変化に応じて電力オフセット値を判定し、判定した電力オフセット値を第２送信電力設定手段に出力する電力オフセット判定手段を具備する構成を採る。
【００２９】
これらの構成によれば、送信電力の時間的変化を検出し、その検出結果に応じて電力オフセット制御のパラメータである電力オフセット値を制御することができるので、第２チャネルの送信電力値を最適に設定することができる。
【００３０】
本発明の送信電力値設定方法は、通信端末装置から送信されたＴＰＣコマンドに基づいて第１チャネルの送信電力を設定する工程と、前記通信端末装置の移動速度を検出する工程と、パケット送信データの転送データ量及び移動速度に応じて電力オフセット値を設定する工程と、前記第１チャネルの送信電力に前記電力オフセット値を加算して第１チャネルの送信電力を設定する工程と、を具備する方法を採る。
【００３１】
この方法によれば、通信端末装置の移動速度を検出し、その検出結果に応じて電力オフセット制御することができるので、第２チャネルの送信電力値を最適に設定することができる。
【００３２】
本発明の送信電力値設定方法は、第２チャネルの送信電力に第１チャネルの送信電力を反映する時間を移動速度に応じて制御する方法を採る。
【００３３】
この方法によれば、通信端末装置の移動速度に応じて電力オフセット制御のパラメータである反映時間を制御することができるので、第２チャネルの送信電力値を最適に設定することができる。
【００３４】
本発明の送信電力値設定方法は、測定した第１チャネルの送信電力を平均化する時間を移動速度に応じて制御する方法を採る。
【００３５】
この方法によれば、通信端末装置の移動速度に応じて電力オフセット制御のパラメータである平均時間を制御することができるので、第２チャネルの送信電力値を最適に設定することができる。
【００３６】
本発明の送信電力値設定方法は、通信端末装置から送信されたＴＰＣコマンドに基づいて第１チャネルの送信電力を設定する工程と、前記通信端末装置の送信電力の時間的変化を検出する工程と、パケット送信データの転送データ量及び送信電力の時間的変化に応じて電力オフセット値を設定する工程と、前記第１チャネルの送信電力に前記電力オフセット値を加算して第１チャネルの送信電力を設定する工程と、を具備する方法を採る。
【００３７】
この方法によれば、送信電力の時間的変化を検出し、その検出結果に応じて電力オフセット制御することができるので、第２チャネルの送信電力値を最適に設定することができる。
【００３８】
【発明の実施の形態】
本発明の骨子は、通信端末装置の移動速度を検出し、その検出結果に応じて電力オフセット制御のパラメータ（平均時間ｘ、反映時間ｚ、電力オフセット値α）を制御することである。
【００３９】
以下、本発明の実施の形態について、添付図面を参照して詳細に説明する。なお、以下の説明では、パケット伝送としてＤＳＣＨを用いる。
【００４０】
（実施の形態）
図１は、本発明の一実施の形態に係る基地局装置及び上位局装置の構成を示すブロック図である。図１において、基地局装置は、アンテナ１０１と、共用器１０２と、無線受信回路１０３と、逆拡散回路１０４と、復調回路１０５と、移動速度検出回路１０６と、Ａ−ＤＰＣＨ電力設定回路１０７と、ＤＳＣＨ電力設定回路１０８とを備えている。さらに、基地局装置は、変調回路１５１と、拡散回路１５２と、無線送信回路１５３と、変調回路１５４と、拡散回路１５５と、無線送信回路１５６とを備えている。また、上位局装置は、電力オフセット判定回路２０１を備えている。
【００４１】
共用器１０２は、アンテナ１０１に受信された信号を無線受信回路１０３に出力する。また、共用器１０２は、無線送信回路１５３及び無線送信回路１５６から出力された信号をアンテナ１０１から無線送信する。
【００４２】
無線受信回路１０３は、共用器１０２から出力された無線周波数の受信信号をベースバンドのディジタル信号に変換し、逆拡散回路１０４に出力する。
【００４３】
逆拡散回路１０４は、受信ベースバンド信号に対して逆拡散処理を行い、逆拡散後のデータ部分の信号を復調回路１０５に出力し、逆拡散後の制御部分の信号を移動速度検出回路１０６及びＡ−ＤＰＣＨ電力設定回路１０７に出力する。
【００４４】
復調回路１０５は、逆拡散後の信号に対して復調処理を行って受信データを取り出し、上位局装置に出力する。
【００４５】
移動速度検出回路１０６は、逆拡散回路１０４の出力信号を用いて復調した信号から通信端末装置の移動速度を検出し、検出結果をＡ−ＤＰＣＨ電力設定回路１０７、ＤＳＣＨ電力設定回路１０８及び電力オフセット判定回路２０１に出力する。なお、移動速度を検出する方法として、パイロットシンボルを用いてドップラ周波数を検出する方法等が一般に知られている。
【００４６】
Ａ−ＤＰＣＨ電力設定回路１０７は、逆拡散回路１０４から出力された信号を復調したＴＰＣコマンドに基づいてＡ−ＤＰＣＨの送信電力を設定する。その際、Ａ−ＤＰＣＨ電力設定回路１０７は、平均時間ｘを移動速度によって制御する。そして、Ａ−ＤＰＣＨ電力設定回路１０７は、設定したＡ−ＤＰＣＨの送信電力を示す信号をＤＳＣＨ電力設定回路１０８、無線送信回路１５３及び電力オフセット判定回路２０１に出力する。
【００４７】
ＤＳＣＨ電力設定回路１０８は、Ａ−ＤＰＣＨの送信電力に電力オフセット値を加えてＤＳＣＨの送信電力を設定する。その際、ＤＳＣＨ電力設定回路１０８は、反映時間ｚを移動速度によって制御する。そして、ＤＳＣＨ電力設定回路１０８は、設定したＤＳＣＨの送信電力を示す信号を無線送信回路１５６に出力する。
【００４８】
変調回路１５１は、上位局装置から入力した送信データを変調し、変調信号を拡散回路１５２に出力する。拡散回路１５２は、変調回路１５１の出力信号を拡散し、拡散信号を無線送信回路１５３に出力する。
【００４９】
無線送信回路１５３は、Ａ−ＤＰＣＨ電力設定回路１０７が設定した電力に拡散回路１５２の出力信号を増幅し、無線周波数に周波数変換して共用器１０２に出力する。
【００５０】
変調回路１５４は、上位局装置から入力したパケット送信データを変調し、変調信号を拡散回路１５５に出力する。拡散回路１５５は、変調回路１５４の出力信号を拡散し、拡散信号を無線送信回路１５６に出力する。
【００５１】
無線送信回路１５６は、ＤＳＣＨ電力設定回路１０８が設定した電力に拡散回路１５５の出力信号を増幅し、無線周波数に周波数変換して共用器１０２に出力する。
【００５２】
電力オフセット判定回路２０１は、パケット送信データの転送データ量と電力オフセット値との関係を示すテーブルを保存し、転送データ量から当該パケット送信データの電力オフセット値を判定する。その際、電力オフセット判定回路２０１は、電力オフセット値αを移動速度によって制御する。そして、電力オフセット判定回路２０１は、電力オフセット値αをＤＳＣＨ電力設定回路１０８に出力する。
【００５３】
このように、本実施の形態では、反映時間ｚ、平均時間ｘ、電力オフセット値αを通信端末装置の移動速度に応じて適応制御し、ＤＳＣＨの送信電力を設定する。
【００５４】
図２は、図１に示した基地局装置と無線通信を行う通信端末装置の構成を示すブロック図である。図２において、通信端末装置は、アンテナ３０１と、共用器３０２と、無線受信回路３０３と、逆拡散回路３０４と、復調回路３０５と、ＳＩＲ測定回路３０６と、ＴＰＣ生成回路３０７と、無線受信回路３０８と、逆拡散回路３０９と、復調回路３１０とを備えている。さらに、通信端末装置は、変調回路３５１と、拡散回路３５２と、無線送信回路３５３とを備えている。
【００５５】
共用器３０２は、アンテナ３０１に受信された信号を無線受信回路３０３及び無線受信回路３０８に出力する。また、共用器３０２は、無線送信回路３５３から出力された信号をアンテナ３０１から無線送信する。
【００５６】
無線受信回路３０３は、共用器３０２から出力された無線周波数の受信信号をベースバンドのディジタル信号に変換し、逆拡散回路３０４に出力する。
【００５７】
逆拡散回路３０４は、受信ベースバンド信号に対して逆拡散処理を行い、逆拡散後のデータ部分の信号を復調回路３０５に出力し、逆拡散処理の過程で測定される希望波電力及び干渉波電力をＳＩＲ測定回路３０６に出力する。
【００５８】
復調回路３０５は、逆拡散後の信号に対して復調処理を行って受信データを取り出す。
【００５９】
ＳＩＲ測定回路３０６は、希望波電力及び干渉波電力によって下り回線の受信ＳＩＲを測定し、測定した受信ＳＩＲをＴＰＣ生成回路３０７に出力する。
【００６０】
ＴＰＣ生成回路３０７は、受信ＳＩＲと目標ＳＩＲとの大小関係により下り回線のＴＰＣコマンドを生成し、変調回路３５１に出力する。
【００６１】
無線受信回路３０８は、共用器３０２から出力された無線周波数のパケット信号をベースバンドのディジタル信号に変換し、逆拡散回路３０９に出力する。
【００６２】
逆拡散回路３０９は、ベースバンドのパケット信号に対して逆拡散処理を行い、復調回路３１０に出力する。
【００６３】
復調回路３１０は、逆拡散後のパケット信号に対して復調処理を行ってパケット受信データを取り出す。
【００６４】
変調回路３５１は、送信データ及びＴＰＣコマンドを変調し、変調信号を拡散回路３５２に出力する。拡散回路３５２は、変調回路３５１の出力信号を拡散し、拡散信号を無線送信回路３５３に出力する。
【００６５】
無線送信回路３５３は、拡散回路３５２の出力信号を無線周波数に周波数変換して共用器３０２に出力する。
【００６６】
以下、通信端末装置の移動速度と、▲１▼平均時間ｘ、▲２▼反映時間ｚ、▲３▼電力オフセット値αとの関係についてそれぞれ考察する。
【００６７】
▲１▼平均時間ｘ
移動速度が低速の場合、送信電力の時間的変化が小さいので、測定時間を長くすることにより雑音等の瞬時値の変動を収束させることができ、信頼性を向上することができる。これに対し、移動速度が高速の場合、送信電力の時間的変化が大きいので、測定時間を短くしなければ刻々と変化する伝播環境（状況）に対応することができないおそれがある。
【００６８】
従って、Ａ−ＤＰＣＨ電力設定回路１０７は、平均時間ｘを移動速度が速いほど短くするように制御する。
【００６９】
▲２▼反映時間ｚ（＝報告周期）
移動速度が低速の場合、送信電力の時間的変化が小さいので、報告周期を長くしても伝播状況があまり変化せず、通信端末装置において所望の受信ＳＩＲを得られるようなＤＳＣＨの送信電力を設定することができ、しかも、報告周期を長くすることによりシステムとしての反映する制御負荷を低減することができる。これに対し、移動速度が高速の場合、送信電力の時間的変化が大きいので、報告周期を短くしないと過去の電力オフセット値が設定されてしまい、ＤＳＣＨの送信電力値の精度が劣化してしまうおそれがある。
【００７０】
従って、ＤＳＣＨ電力設定回路１０８は、反映時間ｚを移動速度が速いほど短くするように制御する。
【００７１】
▲３▼電力オフセット値α
移動速度が低速の場合、送信電力の時間的変化が小さいので、ＤＳＣＨの送信電力が所要の電力に足りて十分な受信率を得られるものの、過剰な電力が使用される可能性がある。これに対し、移動速度が高速の場合、送信電力の時間的変化が大きいので、ＤＳＣＨの送信電力が所要の電力に足りず、受信率が下がるおそれがある。
【００７２】
従って、電力オフセット判定回路２０１は、電力オフセット値を移動速度が速いほど高くなるように制御する。
【００７３】
図３は、電力オフセット判定回路２０１内部に保存されるテーブルの一例を示す図であり、このテーブルは、ＤＳＣＨの設定パラメータの一覧を表している。図３の場合、電力オフセット判定回路２０１は、電力オフセット値を判定する際、転送データ量［ｂｉｔｓ］：［０，０，３３６，６７２，１３４４，３０２４，６０４８］の組合せに対して、移動速度が低速の場合に電力オフセット値Ａ［ｄＢ］：［０，３，６，９，１２，１５，１８］の組合せを用い、移動速度が高速の場合に電力オフセット値Ｂ［ｄＢ］：［２，５，８，１１，１４，１７，２０］の組合せを用いる。
【００７４】
他の電力オフセット値の切り替え方法として、電力オフセット値の組を１つ保存して、移動速度が高速の場合に一定量（例えば２［ｄＢ］）加算する方法や、重み付け加算する方法等が挙げられる。
【００７５】
なお、本実施の形態では、上位局装置において電力オフセット値を設定する場合について説明したが、本発明はこれに限られず基地局装置内において電力オフセット値を設定してもよい。この場合、図１において、電力オフセット判定回路２０１が基地局装置内に具備される。
【００７６】
また、本実施の形態において、各パラメータの切り替えタイミングは、全て同一であっても互いに異なっても良い。また、各パラメータの切り替えの段階は、数段階（例えば、移動速度が低速・中速・高速の３段階）であっても、さらに細かくしてもよい。
【００７７】
また、本実施の形態ではパケット伝送としてＤＳＣＨを例に説明したが、本発明はこれに限られず、ＨＳＤＰＡ（Ｈｉｇｈ　Ｓｐｅｅｄ　Ｄｏｗｎｌｉｎｋ　Ｐａｃｋｅｔ　Ａｃｃｅｓｓ）のシェアードコントロールチャネル等の電力オフセット制御に関わる他のシステムにも適応することができる。
【００７８】
また、本実施の形態では移動速度が送信電力の時間的変化と相関があることに着目し、移動速度に基づいて各パラメータを制御する場合について説明したが、本発明はこれに限られず受信電力を所定時間測定して送信電力の時間的変化を検出し、送信電力の時間的変化に基づいて各パラメータを制御してもよい。この場合、図１において移動速度検出回路１０６の代わりに、受信電力を所定時間測定して送信電力の時間的変化を検出する電力分布変動量検出回路が追加される。
【００７９】
なお、本実施の形態において、移動速度が検出されるまでの間、切り替え判断が不可能な場合を想定して設定されるデフォルト値は、あらかじめ算出した移動速度の統計値を用いればよい。
【００８０】
【発明の効果】
以上説明したように、本発明によれば、通信端末装置の移動速度あるいは送信電力値の時間的な変化を検出し、その検出結果に応じて電力オフセット制御のパラメータ（平均時間ｘ、反映時間ｚ、電力オフセット値α）を制御することにより、最適なＤＳＣＨの送信電力値を設定することができる。
【図面の簡単な説明】
【図１】本発明の一実施の形態に係る基地局装置及び上位局装置の構成を示すブロック図
【図２】図１に示した基地局装置と無線通信を行う通信端末装置の構成を示すブロック図
【図３】上記実施の形態に係る基地局装置の電力オフセット判定回路内部に保存されるテーブルの一例を示す図
【図４】Ａ−ＤＰＣＨの送信電力の平均及びＤＳＣＨの電力オフセット制御のタイミングを説明するための図
【符号の説明】
１０６　移動速度検出回路
１０７　Ａ−ＤＰＣＨ電力設定回路
１０８　ＤＳＣＨ電力設定回路
１５３、１５６　無線送信回路
２０１　電力オフセット判定回路
【図１】
2004112624.tif 000003
【図２】
2004112624.tif 000004
【図３】
2004112624.tif 000005
【図４】
2004112624.tif 000006